(57)【特許請求の範囲】
【請求項１】
ディスクを収納したカートリッジを筐体内に挿入して所定の情報を記録又は再生する記録又は再生装置において、
前記ディスクの情報を記録又は再生する光ピックアップ、磁気ヘッドなどの記録再生部を備えた浮動シャーシと、
前記浮動シャーシ上に配置されて前記カートリッジを保持して前記記録再生部に搬送するローディング手段と、
前記筐体内に収納されて前記ローディング手段を配置した前記浮動シャーシを、弾性部材を介してフローティング（浮遊）状態に直接支持して周囲を密閉することで電磁波の悪影響を低減するシールドケースとを設け、
前記シールドケースは、下ケース及び上ケースからなり、前記下ケースは底面及び外周面を備えて凹状に形成され、当該凹状の四隅に前記弾性部材を支持する支持部を設けて前記ローディング手段を配置した前記浮動シャーシをフローティング状態に支持するとともに、前記下ケースに前記上ケースを被うように嵌合して密閉することで前記筐体内に収納していることを特徴とする記録又は再生装置。
【発明の詳細な説明】
【０００１】
【発明の属する技術分野】
本発明は、記録又は再生装置に係り、より詳細には筐体内にフローティング（浮遊）状態に支持した光ピックアップ及び磁気ヘッドなどの記録再生部をシールドケースにより密閉して電磁波の悪影響を低減し、ディスクを収納したカートリッジを挿入して記録又は再生する記録又は再生装置に関する。
【０００２】
【従来の技術】
従来、記録又は再生装置は、例えば、カートリッジの内部に光ディスクを収納したミニディスク（以下、ＭＤと称す）などの記録媒体を内部に挿入して再生する際、振動などの衝撃を吸収するため、筐体内でダンパなどの弾性部材によりフローティング（浮遊）状態に支持された浮動シャーシを設け、この浮動シャーシ上に光ピックアップ、磁気ヘッドなどの記録再生部を配置して光ディスクの情報を記録又は再生していた。また、携帯を目的とする記録又は再生装置では、筐体自体を種々の場所に持ち運ぶため、衝撃を十分に吸収でき、且つ、外側から電磁波の悪影響を受けないように形成することが重要である。そこで、従来の記録又は再生装置では、浮動シャーシを筐体内でシールドケースによって密閉してフローティング状態に支持する構造を備えていた。図２は、このようなＭＤを記録又は再生する携帯用に形成した従来の記録又は再生装置を示す図である。
【０００３】
図２に示すように、ＭＤを記録又は再生する携帯用に形成した従来の記録又は再生装置は、カートリッジに光ディスクを収納したＭＤ１を挿入及び排出する挿入口Ｂを形成した筐体（図示せず）を備え、この筐体内にＭＤ１の情報を記録又は再生する光ピックアップ６２、磁気ヘッド６４などの記録再生部を備えた浮動シャーシ６０と、この浮動シャーシ６０上に配置されてＭＤ１を光ピックアップ６２などの記録再生部に搬送するローディング手段５０と、このローディング手段５０を配置した浮動シャーシ６０を弾性部材２を介してフローティング（浮遊）状態に支持する基台７２と、この基台７２上に支持した浮動シャーシ５０上を封止するように装着する蓋体７４と、この周囲全体を密閉して電磁波の悪影響を低減するシールドケース４０とを備えている。
【０００４】
ここで、浮動シャーシ６０は、ＭＤ１を記録又は再生するために、ＭＤ１の底面で摺動する光ピックアップ６２と、この光ピックアップ６２の上部に対向するように延在する磁気ヘッド６４とを備えている。ＭＤ１は、光ピックアップ６２から光ディスクにレーザパワーを照射するとともに、光ディスクの上部から磁気ヘッド６４が磁界（Ｎ、Ｓ極）を加えることで所定の情報が記録又は再生される。また、浮動シャーシ６０の上部には、ローディング手段５０を配置して、この上面に蓋体７４を封止するように装着している。そして、浮動シャーシ６０は、ＭＤ１の記録又は再生時に振動などの衝撃を吸収するため、基台７２の上部に弾性部材２を介してフローティング（浮遊）状態に支持されている。これにより基台７２には、浮動シャーシ６０、ローディング手段５０、及び蓋体７４が弾性部材２によりフローティング状態に支持される。
【０００５】
また、ローディング手段５０は、筐体内に挿入したＭＤ１の側面及び上面に延在して保持する保持部材５２と、この保持部材５２に挿入されたＭＤ１の片側（図２では左側）に係合して摺動する係合部材５４と、この係合部材５４を摺動させるモータ５６とを備えている。ここで、モータ５６の駆動力は、ギヤ列５８を介すことにより減速して伝達部材５９に伝達し、この伝達部材５９から係合部材５４に伝えられる。
【０００６】
また、シールドケース４０は、下ケース４２と上ケース４４とからなり、下ケース４２に基台７２を固定し、この下ケース４２の上方から上ケース４４を被うよう嵌合することで、ＭＤ１の記録又は再生時に外部から電磁波の悪影響を受けないように形成している。下ケース４２は、底面及び外周面を備えて凹状に形成され、この凹状の内部に基台７２が固定される。
【０００７】
このような構成からなる従来の記録又は再生装置は、図２に示したように、ＭＤ１を筐体（図示せず）内に挿入すると、ＭＤ１が保持部材５２内に挿入されてＭＤ１の縁部（図示せず）が係合部材５４に係合する。この際、浮動シャーシ６０は、基台７２またはシールドケース４０などに係合して弾性部材２によるフローティング状態をロック（固定）している。そして、ＭＤ１を更に保持部材５２内に挿入すると、係合部材５４と伝達部材５９とがＭＤ１とともに保持部材５２の側面に沿って摺動する。この際、筐体内には、係合部材５４及び伝達部材５９の摺動状態を感知する感知部（図示せず）を備えており、この感知部の感知結果に応じてローディング手段５０のモータ５６が回転するように形成されている。これにより係合部材５４は、モータ５６の回転力がギヤ列５８及び伝達部材５９を介して伝達され、図２に示した後方に摺動してＭＤ１を保持部材５２内に収納する。そして、保持部材５２は、図２に示した光ピックアップ６２と磁気ヘッド６４との間で前後及び上下方向に移動してＭＤ１を所定のローディング位置に搬送する。また、浮動シャーシ６０は、ＭＤ１が所定のローディング位置に搬送されると、ロック状態を解除してフローティング状態に支持され、振動などの衝撃を吸収する。これによりＭＤ１は、フローティング状態の浮動シャーシ６０上で光ピックアップ６２、磁気ヘッド６４により所定の情報を安全に記録又は再生することが可能になる。
【０００８】
このように、従来の記録又は再生装置は、図２に示したように、ＭＤ１の記録又は再生時に光ピックアップ６２、磁気ヘッド６４などの記録再生部を備える浮動シャーシ６０を基台７２上で弾性部材２によりフローティング状態に支持することで衝撃を吸収させて安全に駆動させるとともに、この基台７２をシールドケース４０の下ケース４２に固定して上ケース４４によって覆うことで電磁波の悪影響を低減していた。
【０００９】
【発明が解決しようとする課題】
しかしながら、従来の記録又は再生装置では、図２に示したように、ローディング手段５０及び浮動シャーシ６０をシールド（密閉）するために下ケース４２及び上ケース４４からなるシールドケース４０と、基台７２及び蓋体７４とが必要であり、ＭＤ１の記録又は再生動作に直接関係のない部材が複数必要になるため、部品点数が増えて製造工数が増加して部品のコストがかかるとともに、装置全体のコストが高くなるという不具合があった。
本発明はこのような課題を解決し、部品点数を削減して部品のコストを低減するとともに簡単な構造により容易に製造可能な低コストの記録又は再生装置を提供することを目的とする。
【００１０】
【課題を解決するための手段】
本発明は上述の課題を解決するために、ディスクを収納したカートリッジを筐体内に挿入して所定の情報を記録又は再生する記録又は再生装置であって、ディスクの情報を記録又は再生する光ピックアップ、磁気ヘッドなどの記録再生部を備えた浮動シャーシと、この浮動シャーシ上に配置されてカートリッジを保持して記録再生部に搬送するローディング手段と、筐体内に収納されてローディング手段を配置した浮動シャーシを弾性部材を介してフローティング（浮遊）状態に直接支持して周囲を密閉することで電磁波の悪影響を低減するシールドケースとを設け、このシールドケースは、下ケース及び上ケースからなり、この下ケースは底面及び外周面を備えて凹状に形成され、当該凹状の四隅に弾性部材を支持する支持部を設けてローディング手段を配置した浮動シャーシをフローティング状態に支持するとともに、下ケースに上ケースを被うように嵌合して密閉することで筐体内に収納する。
【００１２】
【発明の実施の形態】
次に、添付図面を参照して本発明による記録又は再生装置の実施の形態を詳細に説明する。図１は、本発明による記録又は再生装置の実施の形態を示す図である。
【００１３】
図１に示すように、本発明による記録又は再生装置の実施の形態は、図２に示した従来技術と同様にＭＤを記録又は再生する携帯用に形成した装置であり、カートリッジに光ディスクを収納したＭＤ１を挿入及び排出する挿入口Ａを形成した筐体（図示せず）を備え、この筐体にＭＤ１の情報を記録又は再生する光ピックアップ３２、磁気ヘッド３４などの記録再生部を備える浮動シャーシ３０と、この浮動シャーシ３０上に配置されてＭＤ１を光ピックアップ３２などの記録再生部に搬送するローディング手段２０とを備えている。また、本発明による記録又は再生装置の実施の形態は、図２に示した従来技術とは異なり、浮動シャーシ３０とローディング手段２０とを直接、下ケース１２及び上ケース１４からなるシールドケース１０内に弾性部材２を介してフローティング（浮遊）状態に支持してシールド（密閉）することで電磁波の悪影響を低減している。従って、本実施の形態では、図２に示した従来技術の基台７２及び蓋体７４が不要になり、部品点数を削減してコストを低減し、簡単な構造により容易に製造できるように形成している。
【００１４】
ここで、浮動シャーシ３０は、図２に示した従来技術と同様に、ＭＤ１を記録又は再生するために、ＭＤ１の底面で摺動する光ピックアップ３２と、この光ピックアップ３２の上部に対向するように延在する磁気ヘッド３４とを備えている。ＭＤ１は、光ピックアップ３２から光ディスクにレーザパワーを照射するとともに、磁気ヘッド３４が光ディスクの上部から磁界（Ｎ、Ｓ極）を加えることで所定の情報が記録又は再生される。また、浮動シャーシ３０には、上部の光ピックアップ３２と磁気ヘッド３４との間で前後及び上下方向に移動してＭＤ１を所定の挿入位置から再生位置にローディングするローディング手段２０を配置している。そして、この浮動シャーシ３０は、前述したように、ローディング手段２０とともにシールドケース１０の下ケース１２に弾性部材２を介してフローティング状態に直接支持し、この下ケース１２に上ケース１４を覆うように嵌合してシールド（密閉）している。これによりＭＤ１は、シールドケース１０内でシールド（密閉）された浮動シャーシ３０上に挿入されて記録又は再生されるため、電磁波による悪影響を低減することができる。
【００１５】
また、ローディング手段２０は、筐体内に挿入したＭＤ１の側面及び上面に延在して保持する保持部材２２と、この保持部材２２の片側（図１では右側）に装着してＭＤ１に係合して摺動する係合部材２４と、この係合部材２４を摺動させるモータ２６とを備えている。ここで、モータ２６は、図２に示した従来技術とは異なり、ギヤ列２８により減速した駆動力を保持部材２２の片側から他の片側に延在するアーム部材２９に伝達する。このアーム部材２９は、保持部材２２の図１に示した右側に配置した係合部材２４にモータ２６の駆動力を伝達し、この駆動力により係合部材２４を保持部材２２の右側で摺動させる。これにより係合部材２４は、保持部材２２内に挿入したＭＤ１のシャッター１ａ側に係合するため、ＭＤ１を引き込んで確実にシャッター１ａを開くことが可能になる。
【００１６】
また、シールドケース１０は、前述したように、下ケース１２と上ケース１４とからなり、下ケース１２に浮動シャーシ３０を固定し、この下ケース１２の上方から上ケース１４を被うよう嵌合することで、ＭＤ１の記録又は再生時に外部から電磁波の悪影響を受けないように形成している。下ケース１２は、底面及び外周面を備えて凹状に形成され、この凹状の四隅に弾性部材２を支持する支持部１２ａを設け、浮動シャーシ３０をフローティング状態に支持している。
【００１７】
このような構成からなる本発明による記録又は再生装置の実施の形態は、図１に示したように、ＭＤ１を筐体（図示せず）内に挿入すると、ＭＤ１が保持部材２２内に挿入されて係合部材２４にＭＤ１の縁部（図示せず）が係合する。この浮動シャーシ３０は、ＭＤ１を挿入する際、シールドケース１０に係合して弾性部材２によるフローティング状態をロック（固定）している。そして、ＭＤ１を更に保持部材２２内に挿入すると、係合部材２４が保持部材２２の側面（右側）に沿って摺動するとともにアーム部材２９を回動させる。この際、筐体内には、アーム部材２９の回動を感知する感知部（図示せず）が備えてあり、この感知部の感知結果に応じてローディング手段２０のモータ２６が駆動して回転するように形成されている。これにより係合部材２４は、モータ２６の回転力がギヤ列２８及びアーム部材２９を介して伝達され、図１に示した後方に摺動してＭＤ１を保持部材２２内に収納する。そして、保持部材２２は、図１に示した光ピックアップ３２と磁気ヘッド３４との間で前後及び上下方向に移動してＭＤ１を所定のローディング位置に搬送する。また、浮動シャーシ３０は、ＭＤ１が所定のローディング位置に搬送されると、ロック状態を解除してフローティング状態に支持されて振動などの衝撃を吸収する。これによりＭＤ１は、フローティング状態の浮動シャーシ３０上で光ピックアップ３２、磁気ヘッド３４により所定の情報を安全に記録又は再生することが可能になる。
【００１８】
このように本発明による記録又は再生装置の実施の形態は、ローディング手段２０及び浮動シャーシ３０をシールドケース１０内に直接支持することで、電磁波の悪影響を防止するとともに、部品を削減して簡単な構造で容易に製造可能にし、装置全体を安価に形成している。
【００１９】
以上、本発明による記録又は再生装置の実施の形態を詳細に説明したが、本発明は前述した実施の形態に限定されるものではなく、その要旨を逸脱しない範囲で変更可能である。
例えば、ＭＤを記録又は再生する携帯用の装置に形成した本発明による記録又は再生装置の実施の形態を説明したが、光ディスクを収納したＭＤに限定するものではなく、磁気ディスクなどの記録媒体を収納したカートリッジを用いて記録又は再生する装置にも適用可能である。
また、下ケース及び上ケースによるシールドケースにより密閉した実施の形態を説明したが、これに限定されるものではなく、例えば、本実施の形態の上ケースを外すことで密閉性が不要な装置にも対応できるように形成してもよい。
【００２０】
【発明の効果】
このように本発明による記録又は再生装置によれば、ローディング手段及び浮動シャーシをシールドケース内に直接フローティング状態に支持した簡単な構造に形成しているため、外部から発生する電磁波の悪影響を防止できるとともに、部品の点数を削減して容易に製造でき、且つ、装置全体のコストを低減することが可能になる。
【図面の簡単な説明】
【図１】本発明による記録又は再生装置の実施の形態を示す図。
【図２】従来の記録又は再生装置を示す図。
【符号の説明】
１    ＭＤ
２    弾性部材
１０    シールドケース
１２    下ケース
１２ａ  支持部
１４    上ケース
２０    ローディング手段
２２    保持部材
２４    係合部材
２６    モータ
２８    ギヤ列
２９    アーム部材
３０    浮動シャーシ
３２    光ピックアップ
３４    磁気ヘッド
【図１】
0003718423.tif 000002
【図２】
0003718423.tif 000003